(57)【要約】本発明は、通信ネットワークＣＮをパケットネットワークＤＮに接続するゲートウェイＭＧＷを含む前記通信ネットワーク内のネットワークノードＬＥＸ、ＴＥＸの制御のためのシグナリングネットワークを含むコネクション指向の前記通信ネットワークの端末に、コネクションレスの前記（データ）パケットネットワーク内に位置するサービスを提供するための方法であって、通信ネットワークＣＮの端末ＴＥ１が、ヘッダ内に前記ゲートウェイＭＧＷの通信ネットワークアドレスおよびパケットネットワークＤＮのサーバＳＥＲのサービス情報を含むデータパケットを生成し、端末ＴＥ１がシグナリングチャネルを介して通信ネットワークＣＮに前記データパケットを送信し、通信ネットワーク（ＣＮ）内で前記ヘッダが評価され、データパケットが前記シグナリングネットワークを介してゲートウェイＭＧＷに転送され、メディアゲートウェイＭＧＭがサービス情報を抽出し、パケットネットワークＤＮを介して前記サーバＳＥＲに転送される対応するプロトコル情報を生成する方法と、端末ＴＥ１、ＴＥ２と、プログラムモジュールと、したがって前記プログラムモジュールをダウンロードするためのサーバシステムＳＣとに関する。
2005531233.tif 000002
【特許請求の範囲】
【請求項１】
通信ネットワーク（ＣＮ）をパケットネットワーク（ＤＮ）に接続するゲートウェイ（ＭＧＷ）を含む前記通信ネットワーク内のネットワークノード（ＬＥＸ、ＴＥＸ）の制御のためのシグナリングネットワークを含むコネクション指向の前記通信ネットワーク（ＣＮ）の端末に、コネクションレスの前記（データ）パケットネットワーク内に位置するサービスを提供する方法であって、
通信ネットワーク（ＣＮ）の端末（ＴＥ１）が、ヘッダ内に前記ゲートウェイ（ＭＧＷ）の通信ネットワークアドレス、およびパケットネットワーク（ＤＮ）のサーバ（ＳＥＲ）のサービス情報を含むデータパケットを生成するステップと、
端末（ＴＥ１）がシグナリングチャネルを介して通信ネットワーク（ＣＮ）に前記データパケットを送信するステップと、
通信ネットワーク（ＣＮ）内で前記ヘッダが評価され、データパケットが前記シグナリングネットワークを介してゲートウェイ（ＭＧＷ）に転送されるステップと、
メディアゲートウェイ（ＭＧＭ）がサービス情報を抽出し、パケットネットワーク（ＤＮ）を介して前記サーバ（ＳＥＲ）に転送される対応するプロトコル情報を生成するステップとを含むことを特徴とする方法。
【請求項２】
データパケットが、シグナリングチャネルプロトコルメッセージ内にカプセル化されたプロトコル情報を含む端末ＴＥ１と通信ネットワーク（ＣＮ）の間の前記メッセージに基づくことを特徴とする請求項１に記載の方法。
【請求項３】
シグナリングチャネルプロトコルメッセージが通信ネットワーク（ＣＮ）内の特定のサービス機能を要求するファシリティ情報を表し、サービス情報がファシリティ情報要素としてカプセル化され、前記サービス情報がゲートウェイ（ＭＧＷ）に透過的に転送されることを示す情報が含まれることを特徴とする請求項２に記載の方法。
【請求項４】
コネクションレスパケットネットワーク（ＤＮ）内に位置するサービスを要求するためのコネクション指向通信ネットワーク（ＣＮ）の端末（ＴＥ１）であって、
ゲートウェイ（ＭＧＷ）のネットワークアドレスおよびパケットネットワークのサーバ（ＳＥＲ）のサービス情報を含むデータパケットが生成され得るように実現される生成手段と、
通信ネットワークから受信されたデータパケットが分析され、前記データパケットからのサービス情報が抽出され、前記サービス情報に従って操作が実施され得るように実現される処理手段と、
前記データパケットを送受信するための送受信手段とを含むことを特徴とする端末。
【請求項５】
ゲートウェイ（ＭＧＷ）のネットワークアドレス、およびパケットネットワーク（ＤＮ）のサーバ（ＳＥＲ）のサービス情報を含むデータパケットを生成する機能と、
受信されたデータパケットからのサービス情報を分析し、前記サービス情報に従って操作を実施する機能とを制御するために端末（ＴＥ１、ＴＥ２）内で実行されるプログラムモジュール。
【請求項６】
請求項６のプログラムモジュールを格納し、前記プログラムモジュールを端末（ＴＥ１、ＴＥ２、ＴＥ３）にダウンロードするためのダウンロード手段を備えたサーバシステム。
【発明の詳細な説明】
【技術分野】
【０００１】
本発明は、請求項１のプリアンブルによる、コネクション指向通信ネットワークの端末にコネクションレスデータパケットネットワーク内に位置するサービスを提供する方法、請求項４のプリアンブルによる端末、請求項５のプリアンブルによるプログラムモジュール、および請求項６のプリアンブルによるサーバシステムに関する。
【背景技術】
【０００２】
電話網とさらに称される既存のコネクション指向移動ネットワークおよびコネクション指向固定ネットワークのユーザに対する補足のサービスおよび通信サービスは現在、ローカル交換機および前記ネットワーク内のいわゆる知的ネットワークプラットフォームによって提供されている。
【０００３】
次世代ネットワークは、対応するＩＰ(インターネットプロトコル)端末にサービスするためにＩＰベースのサーバプラットフォームを使用するコネクションレスのＩＰベースネットワークである。前記次世代ネットワーク内のサービスに適した制御プロトコルは、インターネットエンジニアリングタスクフォース（ＩＥＴＦ）によって文書ＲＦＣ（コメント要求）２５４３として規定されたいわゆるセッション開始プロトコル（ＳＩＰ）である。セッション開始プロトコルは、１つまたは複数の参加者とのセッションを生成し、変更し、終了するためのテキストベースのアプリケーション層制御（シグナリング）プロトコルである。
【０００４】
既存の電話網と次世代ネットワークは、将来長期に渡って共存していくことになる。既存の電話網のユーザに次世代ネットワークサービスを提供するために、前記電話網のネットワーク要素（ローカル交換機など）を対応してアップグレードすることが可能である。
【０００５】
あるいは、次世代ネットワークサービスは、音声通信またはデータ転送のために通常使用される透過的なベアラチャネル（ＩＳＤＮ  Ｂチャネルなど）を使用することによって、既存の電話網の端末に提供され得る。しかし、電話端末から次世代ネットワークサーバに、またはその逆にサービス要求のための制御メッセージを送信するには、対応する音声パスを事前に設定する必要がある。サービスプロトコルはしばしば、単に短いものではあるが頻繁に生じる情報交換トランザクションを必要とし、これは、電話網にかなりの追加負荷をもたらし、したがって、ネットワークリソースを消費する。
【発明の開示】
【発明が解決しようとする課題】
【０００６】
本発明の目的は、コネクション可能電話網の要素を修正せずに、そして制御メッセージのためにベアラチャネルを使用せずに、既存のプロトコルのフレームワーク内の電話端末に次世代サービスを提供することである。
【課題を解決するための手段】
【０００７】
この目的は、請求項１の教示による方法、請求項４の教示による端末、請求項５の教示によるプログラムモジュール、および請求項６の教示によるサーバシステムによって達成される。
【０００８】
本発明の主な考えは、いわゆる次世代パケットネットワークのサーバ（またはサービスプラットフォーム）によって提供されるサービスを要求する通信ネットワークの端末が、前記通信ネットワークと前記パケットネットワークの間のインターフェースの働きをするゲートウェイの通信ネットワークアドレスを含むデータパケットを生成するということである。データパケットはさらに、前記サーバによって評価されるサービス情報又はサービス要求を含む。端末は、シグナリングチャネルを介して通信ネットワークに前記データパケットを送信する。通信ネットワークでは、シグナリングプロトコルを用いることによって、データパケットがゲートウェイに転送される。ゲートウェイは、サービス情報を抽出し、パケットネットワークを介して前記サーバに転送される対応するプロトコル情報を生成する。
【０００９】
本発明のさらに詳しい説明は、従属クレームおよび以下の説明から得ることができる。
【００１０】
次に、本発明について、添付の図面を参考にしてさらに説明する。
【発明を実施するための最良の形態】
【００１１】
図１に、例として、相互接続されたローカル交換機ＬＥＸおよび中継交換機ＴＥＸ、ならびにゲートウェイＭＧＷを含む電話網ＣＮが示されている。例を挙げると、第１の端末ＴＥ１および第２の端末ＴＥ２は、ローカル交換機ＬＥＸに接続される。さらに、第３の端末ＴＥ３およびサーバＳＥＲに接続された（データ）パケットネットワークＤＮが示されている。ゲートウェイＭＧＷは、例を挙げると、中継交換機ＴＥＸをパケットネットワークＤＮに接続する。
【００１２】
電話網ＣＮは原則として、よく知られている移動通信用グローバルシステム（ＧＳＭ）またはサービス統合デジタル通信網（ＩＳＤＮ）など、任意のコネクション指向の移動または固定通信ネットワークであり得る。パケット網は、任意のコネクションレスデータネットワークであり得る。第３の端末ＴＥ３は、図示される直接接続の代わりに、たとえばトンネルプロトコルを使用して電話網を介してパケットネットワークＤＮに間接的に接続されることもできる。ゲートウェイＭＧＷは、電話網の一部であっても、別個のサーバであってもよい。さらに、サーバＳＥＲは、パケット網の一部であっても、別個のサーバであってもよい。さらに、サーバは、単一の装置であっても、またある位置で集中化され、またはそれぞれ異なる場所に置かれた複数の装置を含むシステムであってもよい。以下では、本発明を限定せずに、電話網がＩＳＤＮネットワークであり、パケット網がインターネットプロトコル（ＩＰ）に基づいた次世代ネットワーク（ＮＧＮ）であると想定する。
【００１３】
次世代ネットワークサービスのための制御プロトコルとして、国際電気通信連合の通信標準化部門（ＩＴＵ−Ｔ）は、パケットベースのシステムを介したマルチメディア通信を可能にする、Ｈ．３２３プロトコルまたはＨ．３２３勧告と称されるプロトコルを定義している。ここで好まれる別のプロトコルは、いわゆるセッション開始プロトコル（ＳＩＰ）である。これは、インターネットエンジニアリングタスクフォース（ＩＥＴＦ）によって文書ＲＦＣ（コメント要求）２５４３として規定されたテキストベースのプロトコルである。セッション開始プロトコルは、１または複数の参加者とのセッションを生成し、変更し、終了するためのアプリケーション層制御（シグナリング）プロトコルである。これらのセッションは、たとえばインターネットマルチメディア会議、インターネット通話およびマルチメディア配信を含む。セッション内のメンバは、マルチキャスト、またはいわゆるユニキャストな関係のメッシュを介して、またはそれらの組合せを介して通信することができる。以下の説明では、本発明をセッション開始プロトコルの使用に限定せずに、セッション開始プロトコルに焦点を当てる。
【００１４】
次世代ネットワークでは、セッション開始プロトコルは、インターネットプロトコル（ＩＰ）層上で実行され、いわゆるＳＩＰ端末（ユーザエージェントクライアント）といわゆるＳＩＰサーバまたはサービスプラットフォーム（ユーザエージェントサーバ）の間の通信およびサービス提供を制御する。しかし、セッション開始プロトコルは、ＩＰ層が唯一のトランスポート層であることに限定されず、さらに次世代ネットワークに限定されない。ＳＩＰは、他のトランスポートおよび他のネットワーク上で使用され得る。
【００１５】
ここでは、ＩＳＤＮ端末ＴＩおよびＴ２に、ＩＰネットワークＤＮ内のＳＩＰサーバ（プラットフォーム）ＳＥＲ上で実行される新しいサービス（次世代ネットワークサービス）を提供することが提案される。ＩＳＤＮ端末Ｔ１およびＴ２は、ＳＩＰサーバＳＥＲに直接にサービスを要求する。
【００１６】
ＩＳＤＮなどの電話網ＣＮは、ネットワーク内部のいわゆる共通線信号Ｎｏ．７（ＳＳ７）、および以下で説明する端末Ｔ１およびＴ２間のいわゆるＤチャネルプロトコルなどの全く異なるシグナリングプロトコルに基づいているので、本発明の方法によるサービス要求およびサービス自体は、電話網ＣＮ（交換機ＬＥＸおよびＴＥＸ）に透過的であるように実現される。ローカル交換機ＬＥＸまたは中継交換機ＴＥＸも、電話網ＣＮの他のノードも、ＳＩＰプロトコル機能を含むように、またはいずれかの新しいソフトウェアまたはハードウェアを備えるように拡張される必要はない。本発明によるＩＳＤＮ端末Ｔ１およびＴ２だけが、対応するコマンドを送受信できる必要がある。
【００１７】
既存のＩＳＤＮ端末Ｔ１およびＴ２がＳＩＰベースの次世代ネットワークサービスを受信できるようにするため、適切なソフトウェアが、電話網ＣＮまたはパケット網ＤＮのダウンロードサーバシステムから、任意の適切な端末Ｔ１、Ｔ２またはＴ３にそれぞれダウンロードされ得る。ユーザ側のインターネット端末Ｔ３は、最終の端末Ｔ１にダウンロードするための中間ノードの働きをすることができる。前記サーバシステムは、単一のサーバを含むことがあり、または相互作用するそれぞれ異なるサーバのシステムであり得る。
【００１８】
ＩＳＤＮ内の端末は、シグナリングチャネル又はＤチャネル、およびベアラチャネル又はＢチャネルを介してＩＳＤＮネットワークに接続される。Ｄチャネルのプロトコルとして、国際電気通信連合によって定義されたいわゆるＱ．９３２プロトコルが使用される。他にも定義はあるがこのプロトコルは、何らかのサービス機能を要求するためのファシリティメッセージを定義する。いわゆるダミー呼参照（ＤＣＲ）値およびファシリティ情報要素をその中で使用するファシリティメッセージが、ＳＩＰのためのコネクションレストランスポート層として使用される。前記ダミー呼参照を用いたファシリティメッセージは、コネクションレスであり、インターネットプロトコルを介したセッション開始プロトコルのコネクションレストランスポートに類似する。ファシリティ情報要素の内容、すなわちＳＩＰサービス要求は、ＩＳＤＮネットワーク内のノードＬＥＸおよびＴＥＸにとって透過的である。
【００１９】
上述の文書ＲＦＣ２５４３によって定義されたいわゆるＳＩＰメソッド、たとえばメソッドＩＮＶＩＴＥ、ＲＥＧＩＳＴＥＲまたはＡＣＫなどは、ダミー呼参照を用いた１つのファシリティメッセージでＩＳＤＮネットワークＣＮを介して転送される。
【００２０】
端末Ｔ１からサーバＳＥＲにサービス要求を送信するために、対応するＳＩＰの内容を含むファシリティメッセージがＩＳＤＮネットワークＣＮと次世代ネットワークＤＮの間のゲートウェイＭＧＷにルーティングされる。したがって、ファシリティメッセージ内の被呼者の番号は、前記ゲートウェイＭＧＷのいわゆるＥ．１６４番号を含む。ＩＳＤＮネットワークＤＮ内で、ＳＩＰ情報は、上述の共通線信号Ｎｏ．７のフレームワーク内のＳＣＣＰ（シグナリング制御接続部）／ＴＣＡＰ（トランザクション機能アプリケーション部）を介していわゆるアプリケーションサービス要素（ＡＳＥ）でコネクションレスに転送される。
【００２１】
次いで、次世代ネットワークＤＮ内でのさらなるルーティングは、セッション開始プロトコルのルーティング情報に基づく。次世代ネットワークＤＮ内の（ＳＩＰ）サーバＳＥＲは、ＩＳＤＮネットワークＣＮには認識できないＩＰアドレスまたはＳＩＰアドレスによってアドレス指定される。
【００２２】
ＩＳＤＮネットワークとゲートウェイの間のプロトコルは、上述の共通線信号Ｎｏ．７（ＳＳ７）やＩＳＤＮのＤチャネル用に定義されたいわゆるデジタル加入者シグナリング方式Ｎｏ．１（ＤＳＳ１）など、任意の適切なプロトコルであり得る。
【００２３】
したがって、ＩＳＤＮ端末に次世代ネットワークサービスを提供するために、ＩＤＳＮネットワーク構造およびトランスポート層を変更する必要はない。
【００２４】
図２に、第１の端末からおよびそこへのサービス要求および応答のための、図１に示した前記第１の端末ＴＥ１、異なるネットワークノードＬＥＸ、ＴＥＸ、ＭＧＷおよびサーバＳＥＲの間の、制御情報Ｍ１〜Ｍ８の流れの例示的なシーケンスを概略的に示す。左側の時間の矢印ｔは、矢印で表された以下のメッセージまたは報告の時間シーケンスを示している。
【００２５】
第１のメッセージＭ１は、Ｑ．９３２ファシリティメッセージ：ＦＡＣＩＬＩＴＹ〔ＤＣＲ、被呼者番号：ゲートウェイＭＧＷのＥ．１６４番号、ファシリティ（招待、試行、呼出し、ＯＫなど）〕を表す。
【００２６】
第２のメッセージＭ２は、ＳＩＰ情報がアプリケーションサービス要素（ＮＧＮ  ＡＳＥ）で転送されるＳＣＣＰ／ＴＣプロトコルメッセージを表す。
【００２７】
第３のメッセージＭ３は、ＤＳＳ１またはＳＳ７プロトコルメッセージを表す。
【００２８】
第４のメッセージＭ４は、ＳＩＰメッセージ（登録、招待など）を表す。
【００２９】
第５のメッセージＭ５は、ＳＩＰメッセージ（試行、呼出し、ＯＫなど）表す。
【００３０】
第６のメッセージＭ６は、ＤＳＳ１またはＳＳ７プロトコルメッセージを（第３のメッセージＭ３に）対応するように表す。
【００３１】
第７のメッセージＭ７は、ＳＣＣＰ／ＴＣプロトコルメッセージを（第２のメッセージＭ２に）対応するように表す。
【００３２】
第８のメッセージＭ８は、Ｑ．９３２ファシリティメッセージ：ＦＡＣＩＬＩＴＹ〔ＤＣＲ、被呼者番号：端末ＴＥ１のＥ．１６４番号、ファシリティ（．．．）〕を表す。
【００３３】
透過的なＳＩＰトランスポートのために、ファシリティ情報要素が以下の２つのやり方のうちの１つで符号化され得る。
【００３４】
第１の方法
オクテット３：プロトコルプロファイル：ＮＧＮアプリケーション（ＳＩＰ）
オクテット４他：構成要素部分がＳＩＰプロトコル要素を含む。
プロトコルプロファイル内の表示によって、情報の内容が透過的であることをＩＳＤＮに指示する。
【００３５】
第２の方法
オクテット３：プロトコルプロファイル：リモート操作プロトコル
オクテット４他：操作においてオクテット列として転送されるＳＩＰプロトコルを含む。
【００３６】
その操作が、ＮＧＮ（ＳＩＰ）アプリケーションを指示する。したがって、それは、公衆網にとって透過的である。
ＮＧＮＡｐｐｌｉｃａｔｉｏｎ＿ＳＩＰ  ：：＝  ＯＰＥＲＡＴＩＯＮ
ＡＲＧＵＭＥＮＴ  ＳＥＱＵＥＮＣＥ  ｛
ＳＩＰＣｏｎｔａｉｎｅｒ  ＯＣＴＥＴ  ＳＴＲＩＮＧ  ＳＩＺＥ（０．．．２５５）
｝
【００３７】
ゲートウェイは、ファシリティ情報要素からＳＩＰプロトコルを抽出し、ＳＩＰサーバにそれを送信する。
【００３８】
ＳＩＰのＦｒｏｍヘッダは、発呼者（ＩＳＤＮ／ＳＩＰ端末）のアドレスを含む。ＳＩＰ端末に応答して、このアドレスは、ゲートウェイによって、被呼者番号として使用される。
【図面の簡単な説明】
【００３９】
【図１】本発明によるサービス提供方法を実施するために本発明による端末と、パケットネットワークのサーバにさらに接続するゲートウェイとに接続する電話網を概略的に示す図である。
【図２】前記方法を実施するための制御情報の流れの例示的なシーケンスを示す概略図である。
【図１】
2005531233.tif 000003
【図２】
2005531233.tif 000004
【国際調査報告】
2005531233.tif 000005
2005531233.tif 000006
2005531233.tif 000007